(57)【要約】内面を衝撃吸収材でライニングされ、ヘルメット着用者の視界部を形成する繰り抜き部を有しているヘルメットシェルと、視界部の下方に延在している顎用湾曲部とを備えたヘルメット、特にオードバイドライバーまたはカードライバー用のレーシングドライバーヘルメット。顎用湾曲部の内面に、表示装置を受容するための少なくとも１つの容器状の凹部を設ける。
2006500485.tif 000002
【特許請求の範囲】
【請求項１】
内面を衝撃吸収材（４）でライニングされ、ヘルメット着用者の視界部を形成する繰り抜き部（２）を有しているヘルメットシェル（１）と、視界部（２）の下方に延在している顎用湾曲部（３，７）とを備えたヘルメット、特にオードバイドライバーまたはカードライバー用のレーシングドライバーヘルメットにおいて、
顎用湾曲部（３，７）の内面に、表示装置（６）を受容するための少なくとも１つの容器状の凹部（５，８）が設けられていることを特徴とするヘルメット。
【請求項２】
容器状の凹部（５，８）がヘルメット上面方向に開口していることを特徴とする、請求項１に記載のヘルメット。
【請求項３】
容器状の凹部（５，８）に該容器状の凹部（５，８）から上方へ突出するように表示装置（６）が挿着され、表示装置（６）は、ヘルメット着用者の眼の下方にして顎用湾曲部（３，７）の上方に位置するようにヘルメット着用者の視界部内に設けられる表示域を有していることを特徴とする、請求項１または２に記載のヘルメット。
【請求項４】
容器状の凹部（５，８）がヘルメット着用者の右眼または左眼の下方領域に配置されていることを特徴とする、請求項１から３までのいずれか一つに記載のヘルメット。
【請求項５】
容器状の凹部（５，８）が形状安定な材料から形成されていることを特徴とする、請求項１から４までのいずれか一つに記載のヘルメット。
【請求項６】
ヘルメット着用者の右眼および左眼の下方にして顎用湾曲部（３，７）の内面にそれぞれ前記容器状の凹部（５，８）が設けられていることを特徴とする、請求項１から５までのいずれか一つに記載のヘルメット。
【請求項７】
容器状の凹部（５，８）が繊維層材によって形成されていることを特徴とする、請求項１から６までのいずれか一つに記載のヘルメット。
【請求項８】
繊維層材がアラミド繊維材であることを特徴とする、請求項７に記載のヘルメット。
【請求項９】
容器状の凹部（５）が、ヘルメットの内部方向またはヘルメット着用者の顎の方向において、弾性材から成る層によって覆われていることを特徴とする、請求項１から８までのいずれか一つに記載のヘルメット。
【請求項１０】
容器状の両凹部（５，８）の間の領域（９）と容器状の両凹部（５，８）の側方の領域（１０，１１）とが弾性材から成る層によって覆われていることを特徴とする、請求項６から９までのいずれか一つに記載のヘルメット。
【請求項１１】
弾性材から成る層が、ヘルメットの内部方向またはヘルメット着用者の顎の方向において、さらにより軟質の層で覆われていることを特徴とする、請求項９または１０に記載のヘルメット。
【請求項１２】
弾性材から成る層が発泡プラスチックであることを特徴とする、請求項９から１１までのいずれか一つに記載のヘルメット。
【請求項１３】
前記さらにより軟質の層が発泡プラスチックであることを特徴とする、請求項１１に記載のヘルメット。
【請求項１４】
顎用湾曲部（３，７）がヘルメットシェルと回動可能に結合されていることを特徴とする、請求項１から１３までのいずれか一つに記載のヘルメット。
【発明の詳細な説明】
【技術分野】
【０００１】
本発明は、請求項１の前提概念に記載のヘルメットに関するものである。
【背景技術】
【０００２】
レーシングスポーツおよび航空機の分野から、表示装置（特にディスプレイ）を備えたヘルメットが知られている。ヘルメットの表示装置は必然的にドライバーの視界内に配置されていなければならないが、これは安全上の問題を含んでいる。
【発明の開示】
【発明が解決しようとする課題】
【０００３】
本発明の課題は、表示装置を備えさせることができ、しかも高程度の安全性を提供する、オートバイドライバーまたはカードライバー用のヘルメット、特にレーシングドライバーヘルメットを提供することである。
【課題を解決するための手段】
【０００４】
本発明は、内面を衝撃吸収材（たとえば発泡材）でライニングされ且つドライバー用の視界部を形成する繰り抜き部を有しているヘルメットシェルを備えたヘルメットを前提としている。ヘルメットシェルの前記繰り抜き部の下方には顎用湾曲部が設けられている。
【０００５】
このようなヘルメットにおいて、本発明の基本原理は、顎用湾曲部の内面に少なくとも１つの容器状の凹部を設けることにある。容器状の凹部は表示装置を受容するために設けられる。より正確に言えば、容器状の凹部には、該容器状の凹部から幾分上方へ突出する表示装置を挿着させることができる。表示装置はヘルメット着用者が情報を読み取ることのできる表示域を有している。容器状の凹部は形状安定な材料から成っているのが有利である。容器状の凹部は上方へ開口している。
【０００６】
本発明の他の構成によれば、容器状の凹部はヘルメットに関し偏心して配置されている。容器状の凹部はヘルメット着用者の右眼または左眼の下方領域に配置されているのが有利である。したがって、容器状の凹部に挿着される表示装置を難なく読み取ることができる。
【０００７】
本発明の他の構成によれば、この種の容器状の凹部が２つ設けられ、すなわち１つはヘルメット着用者の右眼の領域に設けられ、他は左眼の領域に設けられる。
【０００８】
容器状の凹部は繊維層材、たとえばアラミド繊維から製造されている。このために適した、よく知られた材料は、商品名「ケブラーKevlar」として知られている。
【０００９】
容器状の凹部は比較的硬質の、または形状安定な材料から製造されているので、容器状の凹部は、ヘルメットの内部方向またはヘルメット着用者の顎の方向において、弾性材（たとえば弾性発泡材）から成る層によって覆われている。前述したようにこの種の容器状の凹部を２つ設ける場合、これら２つの凹部の間の領域、すなわち顎用湾曲部の中央領域をも、この種の弾性材または弾性発泡材で充填してよい。さらに、容器状の凹部の側方領域もこの種の弾性材で覆われていてよい。特に、容器状の凹部の領域において顎用湾曲部の内側部分全体をこの種の弾性材で被覆してよい。弾性材の上に皮膚に優しい層を被着させるのが有利であり、この層はより軟質の材料から成っており、じかにヘルメット着用者の顎に対向している。
【発明を実施するための最良の形態】
【００１０】
次に、本発明の実施形態を添付の図面を用いて詳細に説明する。
図１と図２はヘルメットシェル１を備えたレーシングドライバーヘルメットを示している。ヘルメットシェル１は繰り抜き部２を有し、繰り抜き部２はヘルメット着用者の視界部を形成している。繰り抜き部２の下方には阿児用湾曲部３が設けられている。顎用湾曲部３は本実施形態ではヘルメットシェル１と一体の該ヘルメットシェルの構成部材である。これとは択一的に顎用湾曲部がヘルメットシェル１に対し相対的に回動可能であってもよい。従来のオートバイ用ヘルメットまたはレーシングドライバーヘルメットの場合と同様に、ヘルメットシェル１はその内面を衝撃吸収材４でライニングされている。
【００１１】
図１と図２に図示したヘルメットが従来のレーシングドライバーヘルメットと異なっているのは、顎用湾曲部３の内面に、上方へ開口する容器状の凹部５が設けられていることである。容器状の凹部５はたとえば繊維材のような形状安定な材料から製造されている。本実施形態の場合、容器状の凹部５内には、ヘルメット着用者側にディスプレイを有する表示装置６が挿着されている。
【００１２】
図１と図２からわかるように、容器状の凹部５と該容器状の凹部５から上方へ突出している表示装置６とは、顎用湾曲部３に偏心して配置されている。より正確に言えば、容器状の凹部５はヘルメット着用者の右目領域に位置するように顎用湾曲部３の内側に配置されている。したがってヘルメット着用者はその右目で表示装置６のディスプレイを読み取ることができる。
【００１３】
図３は図１に図示したヘルメットの顎用湾曲部３の基本構成図である。ヘルメットシェル１（図１を参照）は、従来のヘルメットから知られているような硬質のプラスチック材から成っている顎用湾曲部一部分７へ一体的に移行している。顎用湾曲部一部分７の内面には、上方へ開口する２つの容器状の凹部５，８が設けられている。これら容器状の凹部５，８はたとえば繊維補強したプラスチック材から成っている。繊維補強したプラスチック材としてはたとえば商品名「ケブラーKevlar」のアラミド繊維材が適している。容器状の両凹部５と８の間の領域９と、容器状の凹部５の横の側部領域１０と、容器状の凹部８の横の側部領域１１とには、それぞれ層９，１０，１１が被着されている。層９，１０，１１は弾性的な衝撃吸収材（たとえば弾性的な衝撃吸収発泡プラスチック）から成っており、ヘルメット着用者の顎が衝突したときに衝撃を吸収する用を成す。弾性的な衝撃吸収材９，１０，１１の上には、顎用湾曲部一部分７の全幅にわたって薄い層１２が被着されている。薄い層１２も同様にたとえば発泡プラスチックから製造されていて、層９，１０，１１よりも軟質である。この薄い層１２は「快適層」と呼ぶこともでき、時折ヘルメット着用者の顎が接触することがあるので軟質で、肌に優しい層であるべきである。
【００１４】
図４は顎用湾曲部一部分７を内側から見た図である。繊維補強したプラスチック材から成形されている容器状の両凹部５，８が見て取れる。図４はこれら容器状の凹部５，８を斜め下から見たものであり、すなわちこれら凹部の閉じた側から見たものである。
【００１５】
図５は他の製造段階にあるヘルメットの顎用湾曲部一部分７を内側から見た図である。この製造段階によれば、容器状の両凹部５，８の間の中空空間と両凹部の横の側部領域とはそれぞれ弾性的な発泡材９，１０，１１で充填され、またはカバーされている。
【００１６】
図６は図５に図示した顎用湾曲部一部分７を外側から、斜め上から見た図である。この図から明らかであるように、容器状の凹部５，８は上方へ開口している。弾性的な衝撃吸収材９，１０，１１は容器状の両凹部５，８の間の領域もその横の側部領域をも充填している。
【００１７】
図７はさらに他の製造段階を示したものである。弾性材９，１０，１１の上には内面に、すなわちヘルメット着用者の顎側に補助的な層１３が被着されている。この層１３は弾性材９，１０，１１よりも柔らかい軟質の発泡材から成り、「快適層」を形成している。
【図面の簡単な説明】
【００１８】
【図１】表示装置を受容するための１つの容器状凹部を備えたヘルメットを上から見た基本構成図である。
【図２】図１のヘルメットを斜め左から見た図である。
【図３】顎湾曲部の領域におけるヘルメットの構成の概略図である。
【図４】顎用湾曲部を内側から見た断面図である。
【図５】２つの容器状凹部の間とその側方とに設けられる弾性発泡材を示す図である。
【図６】図５と同様の図であるが、上から見た図である。
【図７】弾性発泡材の上にさらに軟質の層を被着させた構成を示す図である。
【図１】
2006500485.tif 000003
【図２】
2006500485.tif 000004
【図３】
2006500485.tif 000005
【図４】
2006500485.tif 000006
【図５】
2006500485.tif 000007
【図６】
2006500485.tif 000008
【図７】
2006500485.tif 000009
【国際調査報告】
2006500485.tif 000010
2006500485.tif 000011
2006500485.tif 000012
2006500485.tif 000013
2006500485.tif 000014
2006500485.tif 000015